(57)【要約】【課題】非対称デジタル回線のデータ送信速度が早い側の回線の利用率を向上させて品質の良い音声データを送信可能にするデータ送信方法を提供することを課題とする。【解決手段】第２の通信装置２０ｂから第１の通信装置２０ａへ向かう伝送路にデータ伝送上の余裕があるとき、第２の通信装置２０ｂは、その余裕の範囲内で圧縮の程度を設定する。【選択図】        図１
2005020410.tif 000002
【特許請求の範囲】
【請求項１】
第１の通信装置がデータを圧縮して通信網を介して第２の通信装置へ送信し、第２の通信装置がデータを圧縮して前記通信網を介して第１の通信装置へ送信する通信システムにおいて、
第２の通信装置から第１の通信装置へ向かう伝送路にデータ伝送上の余裕があるとき、第２の通信装置は、その余裕の範囲内で前記圧縮の程度を設定する、データ送信方法。
【請求項２】
（第２の通信装置から通信網を経て第１の通信装置へ向かう伝送路のデータ伝送上の余裕Ａ）＞（第１の通信装置から通信網を経て第２の通信装置へ向かう伝送路のデータ伝送上の余裕Ｂ）であるとき、第２の通信装置は、前記余裕Ａの範囲内で前記圧縮の程度を設定する、データ送信方法。
【請求項３】
第１の通信装置がデータを圧縮して通信網を介して第２の通信装置へ送信し、第２の通信装置がデータを圧縮して前記通信網を介して第１の通信装置へ送信するとともに、
前記第１の通信装置から前記通信網への回線のデータ送信速度αよりも前記通信網から前記第１の通信装置への回線のデータ送信速度βが大きく、かつ、前記第２の通信装置から前記通信網へ向かう回線のデータ伝送速度が前記データ送信速度β以上である通信環境において、
第２の通信装置は、送信速度βの範囲内で前記圧縮の程度を設定する、データ送信方法。
【請求項４】
第１の通信装置は、上り回線、下り回線を有する第１の通信回線を介して通信網と接続し、第２の通信装置は、上り回線、下り回線を有する第２の通信回線を介して前記通信網と接続し、
前記第１の通信装置は、前記第２の通信装置へ送信するデータを第１の圧縮率で圧縮して前記第２の通信装置へ送信し、
前記第２の通信装置は、前記第１の通信装置へ送信するデータを、前記第１の通信回線の下り回線もしくは前記第２の通信回線の上り回線のデータ送信速度のうち、より高速でないどちらか一方の回線が送信路である場合でも送信可能なデータへと第２の圧縮率で圧縮して前記第１の通信装置へ送信する、データ送信方法。
【請求項５】
第１の通信装置は、上り回線、下り回線を有する第１の通信回線を介して通信網と接続し、第２の通信装置は、上り回線、下り回線を有する第２の通信回線を介して前記通信網と接続し、
前記第１の通信装置は、前記第１の通信回線の上り回線及び前記第２の通信回線の下り回線を使用して前記第２の通信装置へデータを送信し、前記第２の通信回線の上り回線及び前記第１の通信回線の下り回線を使用して前記第２の通信装置からデータを受信する、両者間のデータの送受信において、
前記第１の通信装置は、前記第２の通信装置へ送信するデータを第１の圧縮率で圧縮して前記第２の通信装置へ送信し、
前記第２の通信装置は、前記第１の通信装置へ送信するデータを、前記第１の通信回線の下り回線もしくは前記第２の通信回線の上り回線のデータ送信速度のうち、より高速でないどちらか一方の回線が送信路である場合でも送信可能なデータへと第２の圧縮率で圧縮して前記第１の通信装置へ送信する、データ送信方法。
【請求項６】
前記第１の通信回線は、下り回線が上り回線よりもデータ送信速度が速い、請求項４〜５のいずれかに記載のデータ送信方法。
【請求項７】
前記第２の通信回線の上り、下り回線のデータ送信速度は同じ、もしくは概略同じであり、前記第２の通信回線の上り、下り回線のデータ送信速度は前記第１の通信回線の下り回線のデータ送信速度より速い、請求項４〜６のいずれかに記載のデータ送信方法。
【請求項８】
前記各圧縮率は、１００％以下に設定する、請求項４〜７のいずれかに記載のデータ送信方法。
【請求項９】
前記第１の通信装置から前記第２の通信装置へ送信するデータに前記第１の圧縮率に関する情報を付し、前記第２の通信装置から前記第１の通信装置へ送信するデータに前記第２の圧縮率に関する情報を付す、請求項４〜８のいずれかに記載のデータ送信方法。
【請求項１０】
前記第１の通信装置には第１の伸張手段を備え、前記第２の通信装置で圧縮したデータを伸張する、請求項４〜９のいずれかに記載のデータ送信方法。
【請求項１１】
前記第２の通信装置には第２の伸張手段を備え、前記第１の通信装置で圧縮したデータを伸張する、請求項４〜１０のいずれかに記載のデータ送信方法。
【請求項１２】
前記第１の通信装置と前記第２の通信装置は、電話機と前記各通信回線とを接続する中継装置である、請求項４〜１１のいずれかに記載のデータ送信方法。
【請求項１３】
前記第１の通信装置は、着信側端末を呼び出す場合、着信側端末を呼び出すのに必要な情報を第２の通信装置に送信し、前記第２の通信装置は、受信する該情報に基づき該着信側端末を呼び出して、該第１の通信装置と該着信側端末とを通信可能に接続する中継装置である、請求項４〜１２のいずれかに記載のデータ送信方法。
【請求項１４】
前記中継装置は、異種プロトコル通信路間接続手段である請求項１３に記載のデータ送信方法。
【発明の詳細な説明】
【０００１】
【発明の属する技術分野】
本発明は、通信装置間での圧縮データの送受信における、各通信装置のデータ送信方法に関する。
【０００２】
【従来の技術】
従来、通信網（例えば、インターネット、専用のネット網）３０ｂを使用して、第１の電話機１０ａと第２の電話機１０ｂが通話するには、図３に記すように第１の電話機１０ａは第１の通信装置２０ａを介し第１の通信回線３０ａにて通信網３０ｂと接続し、同様に第２の電話機１０ｂは第２の通信装置２０ｂを介し第２の通信回線３０ｃにて前記通信網３０ｂと接続している。そして、例えば第１の通話者（図、符号無し）が第１の電話機１０ａから第２の電話機１０ｂを呼び出して第２の通話者（図、符号無し）との間で通話状態が成立すると、第１の電話機１０ａからの音声データは第１の通信装置２０ａ自身が有する圧縮手段（図、符号無し）で圧縮され更にパケット化したデータに変換され第１の通信回線３０ａと通信網３０ｂと第２の通信回線３０ｃを介して第２の通信装置２０ｂへ送信され、第２の通信装置２０ｂでパケット化したデータから音声データに戻され更に第２の通信装置２０ｂ自身が有する第２の伸張手段（図、符号無し）で伸張され第２の電話機１０ｂへ送信されている。逆も同様に第２の電話機１０ｂからの音声データは第２の通信装置２０ｂ自身が有する圧縮手段（図、符号無し）で圧縮され更にパケット化したデータに変換され第２の通信回線３０ｃと通信網３０ｂと第１の通信回線３０ａを介して第１の通信装置２０ａへ送信され、第１の通信装置２０ａでパケット化したデータから音声データに戻され更に第１の通信装置２０ａ自身が有する第１の伸張手段（図、符号無し）で伸張され第１の電話機１０ａへ送信されている。
このように第１の通信回線３０ａと通信網３０ｂと第２の通信回線３０ｃを介して第１の通信装置２０ａと第２の通信装置２０ｂは圧縮した音声データを送受信して第１の電話機１０ａと第２の電話機１０ｂの間で通話状態が成立している。
【０００３】
そして、例えば第１の通信回線３０ａが非対称デジタル回線（例えば、「×ＤＳＬ」回線であり、ＡＤＳＬ、ＣＤＳＬ、ＶＤＳＬ等あるが、以降「ＡＤＳＬ」を例に説明する）であれば、ＡＤＳＬの上り回線（端末から通信網３０ｂへ向う側の回線）は、例えば「１Ｍｂｐｓ」のデータ送信速度を有し、ＡＤＳＬの下り回線（通信網３０ｂから端末へ向う側の回線）は、例えば「８Ｍｂｐｓ」のデータ送信速度を有している。また、例えば第２の通信回線３０ｃが光回線（例えば、「光ファイバケーブル」であり、以降「光ファイバケーブル」を例に説明する）であれば、光ファイバケーブルの上り回線（端末から通信網３０ｂへ向う側の回線）は、例えば「１００Ｍｂｐｓ」のデータ送信速度を有し、光ファイバケーブルの下り回線（通信網３０ｂから端末へ向う側の回線）は、例えば「１００Ｍｂｐｓ」のデータ送信速度を有している。
このように、ＡＤＳＬでは上り、下りのデータ送信速度が異なっているが、光ファイバケーブルでは上り、下りのデータ送信速度は同じであるのが一般的である。
【０００４】
また、第１の通信装置２０ａと第２の通信装置２０ｂとの間の通信に着目すると、各通信装置２０ａ、２０ｂと接続可能、即ち第１の通信装置２０ａと第２の通信装置２０ｂとの両装置２０ａ、２０ｂ間で同時に通話可能な各電話機１０ａ、１０ｂの台数は、各通信回線３０ａ、３０ｃの上り、下りの計４回線のいずれかのデータ送信速度の遅い回線の数値によって決定する。例えば、１回線あたりのデータ送信速度が「１００Ｋｂｐｓ」である各電話機１０ａ、１０ｂを例に各通信装置２０ａ、２０ｂが接続可能な前記各電話機１０ａ、１０ｂの台数について説明する。各通信回線３０ａ、３０ｃにおいて、第１の通信回線３０ａの上り回線のデータ送信速度が「１Ｍｂｐｓ」と一番遅いため、このデータ送信速度によって各電話機１０ａ、１０ｂの接続台数が決定する。そのため、第１の通信装置２０ａは、第１の通信回線３０ａの上り回線のデータ送信速度と第１の電話機１０ａのデータ送信量から算出して、第１の電話機１０ａを最大「１０台」接続できる（「１Ｍｂｐｓ」／「１００Ｋｂｐｓ」＝１０）。同様に、第２の通信装置２０ｂは、第２の通信回線３０ｃのデータ送信速度（この場合は上り下りは同一のデータ送信速度）と第２の電話機１０ｂのデータ送信速度から算出して、第２の電話機１０ｂを理論上最大「１０００台」接続できる（「１００Ｍｂｐｓ」／「１００Ｋｂｐｓ」＝１０００）。しかしながら、今我々着目している前記両装置２０ａ、２０ｂ間では第１の通信装置２０ａと第２の通信装置２０ｂに接続する各電話機１０ａ、１０ｂの接続台数は同一であるため、第２の通信装置２０ｂは第１の通信装置２０ａが第１の電話機１０ａを最大「１０台」接続するのであれば、第１の通信装置２０ａに対しては第２の電話機１０ｂの接続台数を最大「１０台」とする。また、各通信装置２０ａ、２０ｂは各電話機１０ａ、１０ｂの接続台数を増やしたい場合は、各通信装置２０ａ、２０ｂ自身にデータを圧縮可能な圧縮手段（図、符号無し）をそれぞれ備えている。そして、例えば上記した各電話機１０ａ、１０ｂの接続台数を「１０台」から「２０台」へ増加させたい場合には、第１の通信装置２０ａの圧縮手段の第１の圧縮率の「５０％」に設定する。すると第１の通信装置２０ａは第１の電話機１０ａから受信するデータの量を半分（５０％）に圧縮して通信網３０ｂへ送出すればよいため、第１の電話機１０ａの接続台数を倍にでき、即ち第１の通信装置２０ａは第１の電話機１０ａを「２０台」接続できる。そして第２の通信装置２０ｂの圧縮手段の第２の圧縮率も第１の通信装置２０ａの圧縮手段の第１の圧縮率を「５０％」に合わせて「５０％」に設定していた。
なお、各通信装置２０ａ、２０ｂは音声データをそれぞれ圧縮すれば、接続可能な電話機１０ａ、１０ｂの台数を増加できるが音声データの品質が低下する。そして、この音声データの品質は圧縮率に応じて低下していく傾向にある。例えば、圧縮率が「５０％」であれば、音声データの品質は「５０％相当」低下し、圧縮率が「８０％」であれば、音声データの品質は「２０％相当」低下している。そのため圧縮率が小さいほど（１００％に近づくほど）音声データの品質は低下が少なく（悪くならず）、逆に圧縮率が大きいほど（０％に近づくほど）音声データの品質は低下が大きい（悪い）。
【０００５】
上述したように各通信装置２０ａ、２０ｂは音声データを圧縮率「５０％」で圧縮し、第１の電話機１０ａが、例えば２０台全て第２の電話機１０ｂと通話状態になれば、第１の通信回線３０ａの上り回線は「１Ｍｂｐｓ」（「１００Ｋｂｐｓ×５０％×２０」）で音声データを通信網３０ｂへ送信する。よって第１の通信回線３０ａの上り回線の定格が「１Ｍｂｐｓ」であるため「１００％」（「１００Ｋｂｐｓ×５０％×２０」／「１Ｍｂｐｓ」）の利用率となる。
一方第１の通信回線３０ａの下り回線は「１Ｍｂｐｓ」（「１００Ｋｂｐｓ×５０％×２０」）で音声データを通信網３０ｂから受信する。よって第１の通信回線３０ａの下り回線の定格が「８Ｍｂｐｓ」であるため「１２．５％」（「１００Ｋｂｐｓ×５０％×２０」／「８Ｍｂｐｓ」）の利用率となっている。また同様に、第２の通信回線３０ｃの上り回線は「１Ｍｂｐｓ」（「１００Ｋｂｐｓ×５０％×２０」）で音声データを通信網３０ｂへ送信する。よって第２の通信回線３０ａの下り回線の定格が「１００Ｍｂｐｓ」であるため「１％」（「１００Ｋｂｐｓ×５０％×２０」／「１００Ｍｂｐｓ」）の利用率となっている。一方第２の通信回線３０ａの下り回線は「１００Ｍｂｐｓ」（「１００Ｋｂｐｓ×５０％×２０」）で音声データを通信網３０ｂから受信する。よって光回線の下り回線の定格が「１００Ｍｂｐｓ」であるため「１％」（「１００Ｋｂｐｓ×５０％×２０」／「１００Ｍｂｐｓ」）の利用率となっている。
このように、光回線は対称回線であるため上り、下りともに利用率が同じだが、ＡＤＳＬは非対称回線であるため上りと下りの利用率が異なる状態にある。
【０００６】
なお、上記説明した各電話機１０ａ、１０ｂからの音声データを各通信装置２０ａ、２０ｂが同じ圧縮率で圧縮して各電話機１０ａ、１０ｂどうしが通話する方式は従来より一般的であり、敢えて先行文献を開示しない。
【０００７】
【発明が解決しようとする課題】
上記従来例では、例えば第１の通信回線３０ａの上り回線の利用率が「１００％」に対し第１の通信回線３０ａの下り回線の利用率が「１２．５％」と低く、残り「８７．５％」使用可能な領域を有しているが圧縮した音声データを送っているため音声データの品質が低い（悪い）状況であった。即ち回線の利用率に対する音声データの品質が低かった。
本発明は、このような点に鑑みて創案されたものであり、非対称デジタル回線のデータ送信速度が早い側の回線の利用率を向上させて品質の良い音声データを送信可能にするデータ送信方法を提供することを課題とする。
【０００８】
【課題を解決するための手段】
上記課題を解決するための手段として、本発明の第１発明は、請求項１に記載されたとおりのデータ送信方法である。請求項１に記載のデータ送信方法は、第１の通信装置がデータを圧縮して通信網を介して第２の通信装置へ送信し、第２の通信装置がデータを圧縮して前記通信網を介して第１の通信装置へ送信する通信システムにおいて、第２の通信装置から第１の通信装置へ向かう伝送路にデータ伝送上の余裕があるとき、第２の通信装置は、その余裕の範囲内で前記圧縮の程度を設定できる。
また、本発明の第２発明は、請求項２に記載されたとおりのデータ送信方法である。請求項２に記載のデータ送信方法は、第２の通信装置から通信網を経て第１の通信装置へ向かう伝送路のデータ伝送上の余裕Ａ＞第１の通信装置から通信網を経て第２の通信装置へ向かう伝送路のデータ伝送上の余裕Ｂであるとき、第２の通信装置は、前記余裕Ａの範囲内で前記圧縮の程度を設定できる。
また、本発明の第３発明は、請求項３に記載されたとおりのデータ送信方法である。請求項３に記載のデータ送信方法は、第１の通信装置がデータを圧縮して通信網を介して第２の通信装置へ送信し、第２の通信装置がデータを圧縮して前記通信網を介して第１の通信装置へ送信するとともに、前記第１の通信装置から前記通信網への回線のデータ送信速度αよりも前記通信網から前記第１の通信装置への回線のデータ送信速度βが大きく、かつ、前記第２の通信装置から前記通信網へ向かう回線のデータ伝送速度が前記データ送信速度β以上である通信環境において、第２の通信装置は、送信速度βの範囲内で前記圧縮の程度を設定できる。
また、本発明の第４発明は、請求項４に記載されたとおりのデータ送信方法である。請求項４に記載のデータ送信方法は、第１の通信装置は、上り回線、下り回線を有する第１の通信回線を介して通信網と接続し、第２の通信装置は、上り回線、下り回線を有する第２の通信回線を介して前記通信網と接続し、前記第１の通信装置は、前記第２の通信装置へ送信するデータを第１の圧縮率で圧縮して前記第２の通信装置へ送信し、前記第２の通信装置は、前記第１の通信装置へ送信するデータを、前記第１の通信回線の下り回線もしくは前記第２の通信回線の上り回線のデータ送信速度のうち、より高速でないどちらか一方の回線が送信路である場合でも送信可能なデータへと第２の圧縮率で圧縮して前記第１の通信装置へ送信する。
また、本発明の第５発明は、請求項５に記載されたとおりのデータ送信方法である。請求項５に記載のデータ送信方法では、第１の通信装置は、上り回線、下り回線を有する第１の通信回線を介して通信網と接続し、第２の通信装置は、上り回線、下り回線を有する第２の通信回線を介して前記通信網と接続し、前記第１の通信装置は、前記第１の通信回線の上り回線及び前記第２の通信回線の下り回線を使用して前記第２の通信装置へデータを送信し、前記第２の通信回線の上り回線及び前記第１の通信回線の下り回線を使用して前記第２の通信装置からデータを受信する、両者間のデータの送受信において、前記第１の通信装置は、前記第２の通信装置へ送信するデータを第１の圧縮率で圧縮して前記第２の通信装置へ送信し、前記第２の通信装置は、前記第１の通信装置へ送信するデータを、前記第１の通信回線の下り回線もしくは前記第２の通信回線の上り回線のデータ送信速度のうち、より高速でないどちらか一方の回線が送信路である場合でも送信可能なデータへと第２の圧縮率で圧縮して前記第１の通信装置へ送信する。これにより、例えば第１の通信回線の下り回線の利用率を向上することができる。また、本発明の第６発明は、請求項６に記載されたとおりのデータ送信方法である。請求項６に記載のデータ送信方法は、前記第１の通信回線は、下り回線が上り回線よりもデータ送信速度が速い。
また、本発明の第７発明は、請求項７に記載されたとおりのデータ送信方法である。請求項７に記載のデータ送信方法は、前記第２の通信回線の上り、下り回線のデータ送信速度は同じ、もしくは概略同じであり、前記第２の通信回線の上り、下り回線のデータ送信速度は前記第１の通信回線の下り回線のデータ送信速度より速い。
また、本発明の第８発明は、請求項８に記載されたとおりのデータ送信方法である。請求項８に記載のデータ送信方法は、各圧縮率を１００％以下に設定する。
また、本発明の第９発明は、請求項９に記載されたとおりのデータ送信方法である。請求項９に記載のデータ送信方法は、第１の通信装置から第２の通信装置へ送信するデータに第１の圧縮率に関する情報を付し、前記第２の通信装置から前記第１の通信装置へ送信するデータに第２の圧縮率に関する情報を付している。これにより、例えば各通信装置は圧縮されたデータを受信しても、そのデータの圧縮率を容易に識別できる。
また、本発明の第１０発明は、請求項１０に記載されたとおりのデータ送信方法である。請求項１０に記載のデータ送信方法は、第１の通信装置は第１の伸張手段を備え、前記第２の通信装置で圧縮したデータを受信して伸張することができる。これにより、例えば第１の通信装置は第２の通信装置が送信した圧縮データを伸張して圧縮前のデータに戻すことができる。
また、本発明の第１１発明は、請求項１１に記載されたとおりのデータ送信方法である。請求項１１に記載のデータ送信方法は、第２の通信装置は第２の伸張手段を備え、前記第１の通信装置で圧縮したデータを受信して伸張することができる。これにより、例えば第２の通信装置は第１の通信装置が送信した圧縮データを伸張して圧縮前のデータに戻すことができる。
また、本発明の第１２発明は、請求項１２に記載されたとおりのデータ送信方法である。請求項１２に記載のデータ送信方法では、第１の通信装置と第２の通信装置は、電話機と通信網を接続する中継装置である。これにより、前記第１の通信装置と前記第２の通信装置には、各々第１の電話機と第２の電話機を接続でき、前記各電話機どうしで音声データを送受信できる。
また、本発明の第１３発明は、請求項１３に記載されたとおりのデータ送信方法である。請求項１３に記載のデータ送信方法では、第１の通信装置は、着信側端末（例えば、携帯電話等）を呼び出す場合、着信側端末を呼び出すのに必要な情報を第２の通信装置に送信し、前記第２の通信装置は、受信する該情報に基づき該着信側端末を呼び出して、該第１の通信装置と該着信側端末とを通信可能に接続する中継装置である。
また、本発明の第１４発明は、請求項１４に記載されたとおりのデータ送信方法である。請求項１４に記載のデータ送信方法では、中継装置は、異種プロトコル通信路間接続手段である。
【０００９】
【発明の実施の形態】
◆［全体構成］
本発明の実施の形態について図面を参照して説明する。なお、従来技術に記した各機器と同一作用の各機器は同一符号を付して説明を省略する。図１は、本発明のデータ送信方法を電話機からの音声データの圧縮に適用した一実施の形態の構成図である。図１に記すように、第１の電話機１０ａは第１の通信装置２０ａを介して第１の通信回線３０ａにより通信網３０ｂと接続し、同様に第２の電話機１０ｂは第２の通信装置２０ｂを介して第２の通信回線３０ｃにより前記通信網３０ｂと接続している。そのため、これらの各通信装置２０ａ、２０ｂは、各電話機１０ａ、１０ｂと各通信回線３０ａ、３０ｃを接続する中継装置である。
そして、例えば第１の電話機１０ａが第２の電話機１０ｂを呼び出して通話状態が成立すると、第１の電話機１０ａからの音声データは第１の通信装置２０ａでパケット化したデータに変換され第１の通信回線３０ａと通信網３０ｂと第２の通信回線３０ｃを介して第２の通信装置２０ｂへ送信され、第２の通信装置２０ｂでパケット化したデータから音声データに戻され第２の電話機１０ｂへ送信されている。逆に第２の電話機１０ｂからの音声データは第２の通信装置２０ｂでパケット化したデータに変換され第２の通信回線３０ｃと通信網３０ｂと第１の通信回線３０ａを介して第１の通信装置２０ａへ送信され、第１の通信装置２０ａでパケット化したデータから音声データに戻され第１の電話機１０ａへ送信されている。このように各通信回線３０ａ、３０ｃと通信網３０ｂを介して第１の電話機１０ａと第２の電話機１０ｂは音声データを送受信して通話している。
そして、第１の通信回線３０ａは、上りのデータ送信速度が「１Ｍｂｐｓ」で下りのデータ送信速度が「８Ｍｂｐｓ」であるＡＤＳＬであり、第２の通信回線３０ｃは、上り下り共にデータ送信速度が「１００Ｍｂｐｓ」である光ファイバケーブルである。
なお、各電話機１０ａ、１０ｂの音声データの送信速度は「１００Ｋｂｐｓ」を例に説明する。
【００１０】
本発明に係るデータ送信方法を未実施の状態においては、第１の通信装置２０ａは、所定の圧縮率でデータを圧縮して通信網３０ｂのほうへ送信している。その所定の圧縮率の決め方は、任意であるけれど、例えば次のように決定する。
原音声データをある圧縮（伸長）規格で圧縮して、しかる後にその圧縮（伸長）規格で伸長した場合、その音声データがどのくらい劣化するかを検討する。その劣化の割合で前記所定の圧縮率を決める。
例えば、原音声データを圧縮して伸長した復元データが原データから１０％まで劣化するのを許容できるとすれば、その１０％劣化に相当する圧縮率は、例えば４０％〜５０％であるものとする。すなわち、原音声データを圧縮率５０％で圧縮すると、それを伸長したときに音声データの劣化が１０％以下に収まる。そこで、第１の通信装置２０ａの圧縮率は、例えば５０％というように決める。
一方、第１の通信装置２０ａに収容する電話機と回線数（通信網３０ｂまでの所定のアクセス回線の引き込み線数）の設計の仕方も任意であるけれど、上記のように圧縮率を決めたとしたら、例えば次のように決める。
第１の通信回線３０ａとして、上り１Ｍｂｐｓ、下り８ＭｂｐｓのＡＤＳＬを使うものとする。
一方、前記ユーザ宅には、電話機が例えば３０台あるとして、第１の通信装置２０ａに、その３０台のうち、何台を収容させるかを考える。当然、収容数が２０台であれば、その２０台の第１の電話機１０ａは、同時に通話可能である。しかし、２０台全ての電話機が同時に通話状態となる確率は、低いと予測される。
そこで、３０台の電話機が存在していても、同時に通話状態となるのは、せいぜい２０台程度であろうという見込みのもとに、例えば、第１の通信装置２０ａに３０台の第１の電話機を収容すると決める。そうすれば、３０台の第１の電話機１０ａで１本のＡＤＳＬを使うことができ、経済的である。もし、第１の通信装置２０ａに２０台の第１の電話機１０ａを収容すると決め、かつ、３０台の第１の電話機２０ａ３全てを通信網３０ｂにアクセス可能にしようとするなら、前記ユーザ宅にＡＤＳＬを２本引き込まなければならない。
このように、第１の通信装置２０ａを置くユーザ宅の通信環境は設定される。
いずれにしろ、本発明実施前には、第１の通信装置２０ａは、所定の圧縮率、例えば５０％でデータを圧縮して通信網３０ｂへ送信している。
第１の通信装置２０ａの圧縮率を、上記したような諸般の事情を勘案して、例えば５０％にすると決めたなら、従来は、当然、第２の通信装置２０ｂの圧縮率も５０％と決める。そうすると、第１の通信装置２０ａの上り回線と同下り回線の音声品質が同等もしくはほぼ同等となるからである。
本実施の形態の説明では、第１の通信装置２０ａは、２０台の第１の電話機１０ａを収容するものとし、第１の圧縮率は、５０％を採用するものとする。第１の通信回線３０ａの上り回線のデータ送信速度が１Ｍｂｐｓであり、第１の電話機１０ａのデータ送信速度が１００Ｋｂｐｓであり、第１の圧縮率が５０％であるということは、第１の電話機２０ａは、その収容台数と丁度同じ２０台同時に通話できるということである（「１Ｍｂｐｓ」／（「１００Ｋｂｐｓ」×「２０台」）＝０．５）。なお、本実施例では例えば圧縮率が５０％とは圧縮前の元のデータ量を５０％にする圧縮であり、圧縮率が８０％とは圧縮前の元のデータ量を８０％にする圧縮である。
【００１１】
そして、本発明では、第２の通信装置２０ａの圧縮率を、第１の通信装置２０ａと同じく上記のように決めた５０％とするのではない。第２の通信装置２０ｂは、第１の通信装置２０ａへ送信するデータのデータ送信速度と、前記第１の通信回線３０ａの下り回線もしくは第２の通信回線３０ｃの上り回線のデータ送信速度のうち、より高速でないどちらか一方の回線が送信路である場合でも送信可能なデータへと第２の圧縮率を設定する。即ち第１の通信装置２０ａへ送信するデータのデータ送信速度は、第２の電話機１０ｂのデータ送信速度（１００Ｋｂｐｓ）と第２の電話機１０ｂの接続台数「２０台」（第２の電話機１０ｂの接続台数と第１の電話機１０ａの接続台数は同じである）より「２０００Ｋｂｐｓ」（「１００Ｋｂｐｓ」×「２０台」）＝「２０００Ｋｂｐｓ」）である。また、第１の通信回線３０ａの下り回線のデータ送信速度は「８Ｍｂｐｓ」であり、第２の通信回線３０ｃの上り回線のデータ送信速度は「１００Ｍｂｐｓ」であるため、より高速でないどちらか一方のデータ送信速度とは第１の通信回線３０ａの下り回線のデータ送信速度「８ｂｐｓ」である。そのために第２の圧縮率「４００％」（「８Ｍｂｐｓ」／（「１００Ｋｂｐｓ」×「２０台」）＝４）が算出される。しかしながら圧縮率は、「１以下（１００％以下）」の必要があり、圧縮率が「１」を超える場合は「１以下」（例えば、１とする。なお、０．９８でもよい）とする。このように第１の圧縮率を「５０％」、第２の圧縮率「１００％」とすれば、第１の通信回線３０ａの上り回線の利用率は「１００％」（（１００Ｋｂｐｓ×５０％×２０台）／１Ｍｂｐｓ）であり、第１の通信回線３０ａの下り回線の利用率は「２５％」（（１００Ｋｂｐｓ×１００％×２０台）／８Ｍｂｐｓ）である。
【００１２】
なお、各通信装置２０ａ、２０ｂは通信網３０ｂを介して互いの圧縮率を識別している。例えば、第１の通信装置２０ａは第１の電話機１０ａからの音声データを自身の圧縮手段で「５０％」圧縮したパケット化したデータにし通信網３０ｂを介して第２の通信装置２０ｂへ送信している。そして第２の通信装置２０ｂは受信するパケット化したデータを第２の伸張手段で圧縮率「５０％」を識別して、その圧縮率「５０％」から元の音声データに戻して第２の電話機１０ｂへ送信している。また、この逆も同様であるため説明は省略する。
このようにして各通信装置２０ａ、２０ｂは受信するパケット化したデータに含まれる圧縮率を識別して圧縮された音声データを元に戻している。
【００１３】
次に、図２を参照して従来例と本実施例を比較する。図２に記すように、第１の通信装置２０ａの圧縮率が不変で第２の通信装置２０ｂの圧縮率が小さくなるほど（即ち圧縮率が「５０％→１００％（圧縮なし）」となっていくほど）、ＡＤＳＬの利用率が下り回線で向上していく（即ち利用率が「１２．５％→２５％」と向上していく）。そのため、このように第２の圧縮率を設定すれば、ＡＤＳＬの利用率を向上させることができるため第１の通信装置２０ａへ向かう音声データの品質が良くなる。
【００１４】
上述した内容は、あくまでも本発明の一実施の形態に関するものであって、本発明が上記内容に限定されることを意味するものではない。
発明の実施の形態では、第１の電話機１０ａと第２の電話機１０ｂとの通話において、第１の通信装置２０ａが圧縮した音声データの圧縮率に関する情報をパケット化したデータに含めて第２の通信装置２０ｂへ送信し、その逆も同様に第２の通信装置２０ｂが圧縮した音声データの圧縮率に関する情報をパケット化したデータに含めて第１の通信装置２０ａへ送信する構成を説明したが、これに限定されるものではなく、例えば管理装置４０（図無し）を備えて各通信装置２０ａ、２０ｂの圧縮率を管理する構成でも構わない。その場合には、管理装置４０は通信網３０ｂと接続し各通信装置２０ａ、２０ｂの圧縮率に関する情報を管理すると共に第１の通信装置２０ａに対して第２の各通信装置２０ｂの圧縮率に関する情報を提供し、その逆も同様に管理装置４０は第２の通信装置２０ｂに対して第１の各通信装置２０ａの圧縮率に関する情報を提供している。
【００１５】
また発明の実施の形態では、第２の電話機１０ｂは第２の通信装置２０ｂと通信網３０を介さずに接続する例を説明したが、これに限定されず、第２の電話機１０ｂと第２の通信装置２０ｂは通信網（例、電話網）を介して接続してもよい。
また発明の実施の形態では、第１の電話機１０ａ、第２の電話機１０ｂ共に固定電話である例を説明したが、これに限定されるものではなく、第１の電話機１０ａ、第２の電話機１０ｂの少なくとも一方が移動式電話（例えば、ＩＰ電話、携帯電話、ＰＨＳ、衛星電話、自動車電話等）であっても良い。例えば、第１の電話機１０ａが固定電話で第２の電話機１０ｂが移動式電話であれば、第２の通信装置２０ｂにはさらに中継手段（図、符号無し）を備え、前記第２の通信装置２０ｂと前記第２の電話機１０ｂとは前記中継手段を介した無線による接続となる。
また発明の実施の形態で使用した数値は一例であり、この数値に限定されるものではない。
【００１６】
【発明の効果】
以上説明したように、本発明によれば、非対称デジタル回線のデータ送信速度が早い側の回線の利用率を向上させて品質の良い音声データを送信可能にするデータ送信方法を提供できる。
【図面の簡単な説明】
【図１】本発明の実施の形態について説明する図である。
【図２】実施例と従来例の比較について説明する図である。
【図３】従来例について説明する図である。
【符号の説明】
１０ａ    第１の電話機
１０ｂ    第２の電話機
２０ａ    第１の通信装置
２０ｂ    第２の通信装置
３０ａ    第１の通信回線
３０ｂ    通信網
３０ｃ    第２の通信回線
４０      管理装置
【図１】
2005020410.tif 000003
【図２】
2005020410.tif 000004
【図３】
2005020410.tif 000005